(57)【要約】【課題】  データを記録中に、コピー先の記録媒体をいくつ必要とするのか、コピー先の記録媒体の容量に対してどのくらいの割合を記録に使用しているのかをユーザに示し、ユーザの利便性を向上させることが課題である。【解決手段】  ハードディスクなどの大容量記録媒体の容量を光ディスクなどの小容量記録媒体の容量ごとに複数に分割して記録を行う。また使用した分割容量の枚数または個数と、分割容量に対しての記録量にまたは記録可能残量を表示する。【選択図】  図１
2011028837.tif 000002
【特許請求の範囲】
【請求項１】
第一記録媒体より容量が大きい第二記録媒体からデータを第一記録媒体へコピーする映像音声記録再生装置であって、
前記第一記録媒体の容量を取得し、前記取得した取得容量に対する前記第二記録媒体に記録されたデータの容量または記録可能残容量を取得する容量取得手段と、
前記容量取得手段で取得した前記記録されたデータの容量または記録可能残容量を表示する表示手段とを備えることを特徴とする映像音声記録再生装置。
【請求項２】
請求項１に記載の映像音声記録再生装置であって、
前記データの容量または記録可能残容量が前記取得容量より大きいときは、
前記取得容量を全て使用した取得容量使用量と、
前記データの容量または記録可能残容量から前記取得容量使用量を差分した端数量を表示することを特徴とする映像音声記録再生装置。
【請求項３】
請求項１または請求項２に記載の映像音声記録再生装置であって、
前記取得容量使用量と前記端数量は文字または画像で表示することを特徴とする映像音声記録再生装置。
【請求項４】
請求項１に記載の映像音声記録再生装置であって、
前記データを前記第二記録媒体に記録しているとき、または前記データを前記第二記録媒体から再生しているときに、表示することを特徴とする映像音声記録再生装置。
【請求項５】
請求項１に記載の映像音声記録再生装置であって、
前記データを前記第二記録媒体に記録開始するときに、
前記取得容量単位の領域に最初から新規で記録するか、または途中から追記で記録するかを選択する記録開始選択手段を備えることを特徴とする映像音声記録再生装置。
【請求項６】
請求項１に記載の映像音声記録再生装置であって、
前記第二記録媒体は磁気記録媒体であり、前記第一記録媒体は光ディスク記録媒体またはメモリであることを特長とする映像音声記録再生装置。
【請求項７】
請求項６に記載の映像音声記録再生装置であって、
前記第一記録媒体と前記第二記録媒体の両方を備えることを特徴とする映像音声記録再生装置。
【請求項８】
請求項１に記載の映像音声記録再生装置であって、
前記第一記録媒体が外部記録装置に設けられたものであることを特徴とする映像音声記録再生装置。
【発明の詳細な説明】
【技術分野】
【０００１】
本発明は記録媒体に映像音声データを記録し再生する記録再生装置に関する。
【背景技術】
【０００２】
近年、ＤＶＤ−ＲＡＭ等の光ディスクやハードディスクなどの記録媒体を備えた映像音声記録再生装置が普及してきている。記録媒体の容量が増えてきており、より長い時間の映像音声データを記録することが可能になってきている。
【０００３】
光ディスクはハードディスクに比べて一般に容量が小さいが、ディスクの単価が安く交換式であるためデータのバックアップに適している。
【０００４】
一方ハードディスクは光ディスクよりも容量を大きいものにできるが、交換式でない場合が多いのでハードディスクの容量全てに記録するとそれ以上記録できず、他の記録媒体にデータをコピーする必要がある。
【０００５】
そこでハードディスクから光ディスク等に映像音声データをコピーする際に、ハードディスクにあるデータが光ディスクの記録容量よりも大きかった場合、複数の光ディスクに分割してコピーするか、映像音声データのビットレートを落としてデータ量を小さくしてからコピーするか、ユーザが編集して必要のない映像音声データを削除してデータ量を小さくしてからコピーを行っている。
【０００６】
特許文献１では長時間の連続録画の際に、映像音声データを少なくとも２つ以上のオリジナルタイトルに分割して映像音声データの録画を行っている。
【０００７】
特許文献２〜特許文献６ではハードディスクなどの大容量記録媒体をＤＶＤなどの小容量記録媒体に合わせて記録容量を分割する方法や装置について述べている。
【先行技術文献】
【特許文献】
【０００８】
【特許文献１】特開２００３−２４４６１３号公報
【特許文献２】特開２００４−５５０１０号公報
【特許文献３】特開２００５−１８２９３１号公報
【特許文献４】特開２００３−１０９３００号公報
【特許文献５】特開２００５−２７６３８９号公報
【特許文献６】特開２００５−３１８１２５号公報
【発明の概要】
【発明が解決しようとする課題】
【０００９】
映像や音声を記録再生する映像音声記録再生装置には、記録開始からの時間や記録可能な残時間など、記録媒体の全容量に対する記録量または記録可能残量の表示がある。
【００１０】
しかし記録媒体の全容量に対する記録量または記録可能残量の表示では、記録を終了してから他の記録媒体にデータをコピーしようと考えたときに、記録先の記録媒体をいくつ必要とするのか記録中には分からない。
【００１１】
またユーザが記録媒体に映像音声データを記録している際に、記録媒体全体に対する記録済みデータ量（または記録済み時間）や記録可能残量（または記録可能残時間）の表示はあったが、その映像音声データをコピー先の光ディスクにコピーしたらどれくらいの枚数になるのか分からない。
【００１２】
そこでデータを記録中に、コピー先の記録媒体をいくつ必要とするのか、コピー先の記録媒体の容量に対してどのくらいの割合を記録に使用しているのかをユーザに示し、ユーザの利便性を向上させることが課題である。
【課題を解決するための手段】
【００１３】
上記課題は、特許請求の範囲に記載の発明により達成される。
【発明の効果】
【００１４】
映像音声データの記録、再生、コピーの際にユーザの利便性が増す。
【図面の簡単な説明】
【００１５】
【図１】本発明における映像音声記録再生装置の第１の実施例を示す全体構成図。
【図２】本発明における映像音声記録再生装置の第２の実施例を示す全体構成図。
【図３】本発明における映像音声記録再生装置の第３の実施例を示すフローチャート。
【図４】本発明における光ディスクを用いた記録データ量表示例の図。
【図５】本発明におけるカード型記録媒体を用いた記録データ量表示例の図。
【図６】本発明における光ディスクを用いた記録データ量表示例の図。
【発明を実施するための形態】
【００１６】
以下本発明にかかる映像音声記録再生装置について図面を用いて説明する。
【実施例１】
【００１７】
図１のＡに本発明の第１の実施例における映像音声記録再生装置１００の全体構成図を示す。
【００１８】
まず映像音声記録再生装置の基本的な動作について説明する。
【００１９】
入力手段１０１はレンズやＣＣＤ（Ｃｈａｒｇｅ  Ｃｏｕｐｌｅｄ  Ｄｅｖｉｃｅ）、
ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子で構成され、入力される光を電気信号として受け取りディジタル信号に変換する。
【００２０】
記録処理手段１０２は変換されたディジタル信号の圧縮やその他の信号処理を行い、データを記録媒体１０５に記録する。記録媒体１０５はＨＤＤ（Ｈａｒｄ  Ｄｉｓｋ  Ｄｒｉｖｅ）を用い、データを一時的に保持するためのバッファメモリも搭載している。また記録処理手段１０２は再生処理手段１０３にもディジタル信号を送り、表示手段１０４で表示できる信号に変換して、入力手段１０１で得た映像を表示手段１０４で表示する。また再生処理手段１０３は記録媒体１０５に記録されているデータの伸張やその他の信号処理をして再生した映像を表示手段１０４で表示する。
【００２１】
操作手段１０９は映像データの記録や再生、停止などをボタンや回転式スイッチ、タッチパネルなどによって操作する。操作された情報は制御手段１０７に送られ制御手段１０７は記録処理手段１０２や再生処理手段１０３を制御し、記録や再生、停止などを実行する。
【００２２】
次に本実施例の特徴を説明する。
【００２３】
容量取得手段１０６はＨＤＤを仮想的に分割する分割容量を取得する。その分割容量は外部記録装置１１０で記録する光ディスクの容量でありユーザが設定する。外部記録装置１１０は例えば映像レコーダや光ディスクドライブである。例えば１２ｃｍのＤＶＤ−ＲＡＭディスクでは片面約４．７ＧＢあるが、平均約６Ｍｂｐｓのモードで記録すると約１００分である。そこでユーザが４．７ＧＢや１００分と設定する。
【００２４】
また図１のＢに示すように記録媒体１０５のＨＤＤの容量が３０ＧＢであるとして、３０ＧＢ全てが空き容量であれば分割容量４．７ＧＢの分割数は最大７個である。もし３０ＧＢ中１０ＧＢ使用してあれば、残りの２０ＧＢには分割容量４．７ＧＢの分割数は最大５個である。なお図では分割した領域に１、２、・・・、ｎ、・・・の番号付けを行って
いる。
【００２５】
操作手段１０９によって記録の開始ボタンが押されると制御手段１０７は記録処理手段１０２に記録を開始するように命令する。記録データが記録媒体１０５に記録され記録媒体１０５の記録データ量は時間の経過とともに増加していく。また制御手段１０７は記録装置１０５に記録されたデータ量を監視している。そしてデータ量が分割容量に達すると制御手段１０７は記録媒体１０５にあるデータを分割する。
【００２６】
記録フォーマットがＶＲ（Ｖｉｄｅｏ  Ｒｅｃｏｒｄｉｎｇ）モードであれば、記録データファイルＶＲ＿ＭＯＶＩＥ．ＶＲＯを管理するファイルＶＲ＿ＭＡＮＧＲ．ＩＦＯの中に記録データを分割する場所を示すアドレスなどの管理情報を格納することによって４
．７ＧＢずつにデータを分割する。このＶＲモードではファイル構造上ＶＲ＿ＭＯＶＩＥ
．ＶＲＯは一つのファイルであるが、ＶＲ＿ＭＡＮＧＲ．ＩＦＯ内にある管理情報によって複数に分割されているようにユーザには見える。
【００２７】
またファイルごとに分割する場合は、制御手段１０７が分割の命令を記録制御手段１０２に命令して行われる。ただし連続した記録ができるように記録媒体１０５にあるバッファメモリに撮影しているデータを一時的に保持しておく。その間に分割したデータファイルを生成し、分割処理終了後に制御手段１０７が記録再開の命令を記録処理手段１０２に送ると記録を再開するが、バッファメモリにあるデータを先に記録媒体１０５に記録し、続いて撮影している映像を記録する。例えば０００．ａｖｉというファイルの記録中に分割の命令が来ると００１．ａｖｉが作成されて、０００．ａｖｉと００１．ａｖｉは別個のファイルだが映像は連続している。
【００２８】
その他の方法として記録データが分割容量に達しても継続して記録を行い、操作手段１０９にて記録停止が押されたら分割容量ごとに分割して複数のデータファイルを生成してもよい。
【００２９】
記録開始選択手段１０８はユーザが記録を開始する方法を選択する。記録中において操作手段１０９で記録停止が選択されると、制御手段１０７を通じて記録処理手段１０２によって記録が停止される。続いて操作手段１０９によって記録開始が選択されたときには
、停止した映像の続きから記録を再開するか、次の分割容量から新規に記録を開始するかを選択する。ＶＲモードではＶＲ＿ＭＡＮＧＲ．ＩＦＯに継続記録か新規記録かの管理情報を書き込む。分割ファイルを生成する方法では、新規記録では００２．ａｖｉが４．７ＧＢに達していなくても新規ファイル００３．ａｖｉを作成してデータを記録する。
【００３０】
表示手段１０４では、たとえば記録媒体１０５のＨＤＤの残容量が５．２ＧＢの時は記録可能残量の表示として５．２ＧＢ（＝４．７ＧＢと０．５ＧＢ）を表示する。同様に記録媒体１０５に記録しているときに分割容量に対するデータの記録しているデータが例えば５．２ＧＢに達しているときは記録済みの表示として４．７ＧＢと０．５ＧＢを表示する。表示は時間表示でもよい。また記録中のみでなく、記録媒体１０５からデータの再生中や、記録媒体１０５から外部記録装置１１０にデータをコピーやムーブ（移動）するときに表示するようにしてもよい。また、ユーザが操作手順１０９から指示しても良いが、たとえば分割容量ごとの区切りに達したときに自動で表示しても良い。
【００３１】
なお、本実施例では記録媒体１０５にＨＤＤを用いた映像音声記録再生装置について述べたが、Ｂｌｕ−ｒａｙなどの光ディスクやＳＤカード（Ｓｅｃｕｒｅ  Ｄｉｇｉｔａｌ
Ｍｅｍｏｒｙ  Ｃａｒｄ）などのフラッシュメモリでもよい。また映像でなくボイスレコーダなどの音声の記録再生装置でもよい。
【実施例２】
【００３２】
図２に本発明の第２の実施例における映像音声記録再生装置２００の全体構成図を示す
。
【００３３】
記録再生における基本動作は第１の実施例と同様であり、入力手段２０１、記録処理手段２０２、再生処理手段２０３、表示手段２０４、記録媒体２０５、容量取得手段２０６
、制御手段２０７、記録開始選択手段２０８、操作手段２０９を備えている。
【００３４】
記録媒体２０５には第一記録媒体２１０と第二記録媒体２１１を備えている。第一記録媒体２１０はＤＶＤ−ＲＡＭなどの交換可能な光ディスクであり、第二記録媒体２１１ユーザが使用時に交換可能でないＨＤＤである。制御手段２０７は第二記録媒体２１１から第一記録媒体２１０へのデータのコピーやムーブを制御する。
【００３５】
容量取得手段２０６は第一記録媒体２１０に装着されている光ディスクの容量を自動的に取得する。例えば８ｃｍのＤＶＤ−ＲＡＭであれば１．４ＧＢと取得する。光ディスクが保持している固有符号などを読み込むことにより、ＤＶＤ−ＲＡＭやＢｌｕ−ｒａｙなどを区別することによって光ディスクの容量を取得することができる。
【００３６】
容量取得手段２０６は、第二記録媒体２１１の記録済みデータまたは記録可能残容量が
、第一記録媒体２１０の光ディスクで分割すると何枚になるかを取得する。
【００３７】
表示手段２０４では第１の実施例における表示手段１０４と同じように、第二記録媒体２１１に記録しているときに第一記録媒体２１０での分割容量に対するデータの記録量または記録残量を表示する。また第二記録媒体２１１からの再生中や、第二記録媒体２１１から第一記録媒体２１０にコピーやムーブをするときにも表示する。
【００３８】
実施例１と同じように、第二記録媒体２１１の記録残容量や第二記録媒体２１１の記録済みデータを第一記録媒体２１０へコピー、ムーブすると第一記録媒体２１０では何枚になるかを表示する。
【００３９】
なお、第一記録媒体２１０や第二記録媒体２１１は光ディスクやＨＤＤでなくてもよく
、不揮発性メモリなど映像音声信号を記録できる記録媒体であればよい。
【実施例３】
【００４０】
実施例１と２において映像音声記録再生装置の記録時の表示処理手順について図３を用いて実施例３として説明する。
【００４１】
ステップ３０１で動作の開始を行い、ステップ３０２で分割容量を取得する。ステップ３０３にて新規に記録を開始し、ステップ３０４で自然数ｎを１に初期化する。ステップ３０５ではｎ番目の分割容量に記録している旨を表示し、ステップ３０６で記録を行う。ステップ３０７では分割容量に対する記録データ量または記録可能残量を表示する。記録データ量は記録時間数や記録バイト数などを表示する。
【００４２】
ステップ３０８で記録停止かどうかの判断を行い、記録停止でなければステップ３０９に進み、分割容量に達したかどうかを確認する。分割容量に達していなければステップ３０６に戻る。ステップ３０９で分割容量に達していればステップ３１０に進み、自然数ｎを１増やす。そしてステップ３０５に戻る。
【００４３】
ステップ３０８にて記録停止であればステップ３１１に進む。ステップ３１１では継続記録をするかどうか判断し、継続記録を行うのであればステップ３０５から記録を再開する。継続記録でなければステップ３１２に進み終了する。
【００４４】
なおここでは記録時の表示について示したが、分割容量に達したかどうかを確認するのみでもよく、ステップ３０６は再生やコピー、ムーブでもよい。
【００４５】
実施例１の記録媒体１０５の残容量または記録データ量が外部記録装置１１０での光ディスクでは何枚になるかを表し、この表示は、実施例２の第二記録媒体２１１と第一記録媒体２１０でも同様である。
【実施例４】
【００４６】
図１の表示手段１０４、図２の表示手段２０４、図３のステップ３０７における表示について図４〜図６を用いて説明する。
【００４７】
図４は分割容量に対する記録データ量を円形図で表したものである。ここでは８ｃｍのＤＶＤ−ＲＡＭの場合を示しており、１．４ＧＢで３０分である。表示画面４０１上には分割容量記録済み画像表示４０２と分割容量記録済み文字表示４０３、分割容量記録中画像表示４０４と残り記録可能時間４０５を表示している。
【００４８】
分割容量記録済み画像表示４０２は分割容量を記録上限までの１．４ＧＢ記録したことを画像として表示するものである。図４のＡでは画像の分割容量を１つの円形×２で表しており、図４のＢでは画像を記録した枚数分を２つの円形図で表している。分割容量記録済み文字表示４０３は分割容量を記録上限まで記録した時間と枚数を表示する。ここでは３０分記録したもの２枚に相当することを示している。
【００４９】
分割容量記録中画像表示４０４は分割容量に対する記録データ量の割合を画像で表す。その割合を画像表示の面積比などで表し、記録領域と記録可能領域を色や色の濃淡、模様などで区別して表示する。残り記録可能時間４０５では分割容量に対する記録時間や記録可能残時間を表示する。
【００５０】
図４における表示は３０×２＋（３０−６）＝８４分記録したことを示し、３番目の領域表示では残り６分が記録可能時間であることを示している。
【００５１】
図５はカード型記録媒体の容量に合わせて分割した場合の分割容量に対する記録データ量を四角形図で表したものである。表示画面５０１上には記録量画像表示５０２と記録量文字表示５０３が表示されている。記録量画像表示５０２には分割容量上限までの記録済み領域数と記録中の分割容量に対する記録割合を画像で表示している。これらの四角形図は少しずらして重ねたような画像になっている。記録量文字表示５０３は記録している時間やバイト数を表す。
【００５２】
図５における記録量画像表示５０２と記録量文字表示５０３は、分割容量を３０分とすると３０分のカード型記録媒体を２枚記録し、３枚目の３分の１である１０分を記録中であり、合計７０分記録したことを示している。
【００５３】
図６は記録開始選択手段１０８または２０８で記録の開始を選択した後の表示例である
。図６のＡは図４のＡに続いて継続記録の場合を示しており、表示手段６０１に記録済み領域６０２から継続記録領域６０３が追加されている。残時間は３分と表示している。
【００５４】
図６のＢは図４のＡに続いて新規記録の場合を示している。表示手段６０１では分割容量記録中画像表示４０４が新たに追加されて、３分記録して残り２７分が記録可能残時間であることを示している。
【００５５】
なお、分割容量記録済み画像表示４０２と分割容量記録中画像表示４０４、記録量画像表示５０２は円形や四角形でなくてもよく、楕円形や直方体表示やその他の形でもよい。また画像表示は記録の際だけでなく、記録済みのデータの再生やコピー、ムーブの際に表示してもよい。
【００５６】
本願発明によれば、記録済み映像音声データがコピーしようとする媒体では何枚に相当するのか、記録媒体の残容量がコピーしようとする媒体では何枚に相当するのか、記録中にも分かり、その内容をコピーしようとする媒体のイメージで何枚となるかを表示し、分かりやすいため、ユーザにとって利便性が増すものである。
【符号の説明】
【００５７】
１００・・・映像音声記録再生装置、
１０１・・・入力手段、１０２・・・記録処理手段、１０３・・・再生処理手段、
１０４・・・表示手段、１０５・・・記録媒体、１０６・・・容量取得手段、
１０７・・・制御手段、１０８・・・記録開始選択手段、１０９・・・操作手段、
１１０・・・外部記録装置、２００・・・映像音声記録再生装置、
２０１・・・入力手段、２０２・・・記録処理手段、    ２０３・・・再生処理手段、
２０４・・・表示手段、２０５・・・記録媒体、２０６・・・容量取得手段、
２０７・・・制御手段、２０８・・・記録開始選択手段、２０９・・・操作手段、
２１０・・・第一記録媒体、２１１・・・第二記録媒体、２１２・・・外部記録装置、
４０１・・・表示手段、４０２・・・分割容量記録済み画像表示、
４０３・・・分割容量記録済み文字表示、４０４・・・分割容量記録中画像表示、
４０５・・・残り記録可能時間、５０１・・・表示手段、５０２・・・記録量画像表示、５０３・・・記録量文字表示、６０１・・・表示手段、６０２・・・記録済み領域、
６０３・・・継続記録領域。
【図１】
2011028837.tif 000003
【図２】
2011028837.tif 000004
【図３】
2011028837.tif 000005
【図４】
2011028837.tif 000006
【図５】
2011028837.tif 000007
【図６】
2011028837.tif 000008
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
第一記録媒体より容量が大きい第二記録媒体からデータを第一記録媒体へコピーする映像音声記録再生装置であって、
前記第一記録媒体の容量を取得し、前記取得した取得容量に対する前記第二記録媒体に記録されたデータの容量または記録可能残容量を取得する容量取得手段と、
前記容量取得手段で取得した前記記録されたデータの容量または記録可能残容量を表示する表示手段とを備えることを特徴とする映像音声記録再生装置。